(57)【特許請求の範囲】
【請求項１】
本設位置に埋設された埋め込み式の量水器ボックスと、
本設位置に埋設され、前記量水器ボックス内に導入された本管側給水管及び建物側給水管と、
前記量水器ボックス内に設置され、前記本管側給水管と前記建物側給水管が接続された仮設接続部材と、
前記仮設接続部材の本管側給水管接続部と建物側給水管接続部との中間部から分岐した分岐管接続部に接続された仮設水栓と、からなり、
前記本管側給水管接続部と前記建物側給水管接続部は、本設される量水器の２つの給水管接続部と同一の接続部形状と同一の離間寸法を有し、
前記本管側給水管接続部から供給された水は前記分岐管接続部方向にのみ導かれることを特徴とする仮設給水設備の設置構造。
【請求項２】
前記仮設水栓は、仮設量水器と可撓性を有するフレキシブル管からなる仮設給水管とを介して前記分岐管接続部に接続され、
前記仮設水栓と仮設量水器は、前記量水器ボックスの上方に配置され、
前記量水器ボックスは、本設蓋が取り外され、前記本設蓋と同一の外形を有し前記仮設給水管取り出しの為の切り欠き部が設けられ、前記仮設量水器、前記仮設給水管及び前記仮設水栓が接続された状態で開閉自在な仮設蓋を備えた
ことを特徴とする請求項１に記載した仮設給水設備の設置構造。
【請求項３】
前記仮設蓋の上面は、虎縞状に彩色されたことを特徴とする請求項２に記載した仮設給水設備の設置構造。
【請求項４】
量水器及び量水器ボックスが埋設される敷地における仮設給水設備の設置方法であって、
本設される量水器の２つの給水管接続部と同一形状かつ同一離間寸法の２つの給水管接続部と前記２つの給水管接続部の中間部から分岐した分岐管接続部とを有するとともに一方の給水管への給水が遮断された仮設接続部材を用いて前記量水器ボックス内で本管側給水管と建物側給水管とを接続し、
前記分岐管接続部に仮設給水管を接続して前記量水器ボックスの上方に立ち上げ、
前記本管側給水管から仮設給水管方向にのみ給水し得るように前記仮設給水管に仮設水栓を接続した
ことを特徴とする仮設給水設備の設置方法。
【発明の詳細な説明】
【技術分野】
【０００１】
本発明は、建物の建築工事中に使用する上水を供給するための仮設給水設備に関するものである。
【背景技術】
【０００２】
一般に住宅等の建物の工事中には、工事に使用する上水を供給するための仮設給水設備が敷地内に設けられる。仮設給水設備は、前面道路に埋設されている水道本管から給水管（本管側給水管）を分岐し敷地内に引き込み、敷地内の所定の位置（本設される位置）に量水器ボックスを埋め込み、量水器ボックス内部に導入した給水管（本管側給水管）に仮設給水管を接続し、更に仮設給水管の他端に仮設水栓を接続して構成される。
【０００３】
一方、敷地の前面道路に隣接した領域の床面（地表面）は、カーポートや建物へのアプローチとして利用する為に、土間コンクリートを打設したうえでモルタルやタイル等で仕上げたり、地業の後にインターロッキングブロック等が敷き詰めて仕上げたりするのが一般的である。特に建物が都市部に立地する場合、前面道路に隣接した領域は、土がむき出しとなった部分を残すことなく上記のような床仕上げが施されることが多い。
【０００４】
量水器は敷地内の前面道路寄りの位置に設置することが義務付けられているので、上記の場合、量水器（量水器ボックス）の周囲やこれに接続される給水管の上方の床面も仕上げがなされることになる。そして、建物の建築工事の完了直前には、仮設給水設備（仮設給水管及び仮設水栓）を撤去し、建物側給水管と本管側給水管とを量水器ボックス内部にて量水器を介して接続する作業が発生する。
【０００５】
建物側給水管と本管側給水管は、互いに接続されていない状態ではその端部が固定されないので相対的な位置関係が安定しないが、両者が互いに接続されることにより相対的な位置が確定しその関係が保持される。従って、上記接続作業が完了しなければ、給水管（少なくとも一方の給水管）の上方の床面の仕上げ工事に取りかかることができなかった。換言すると、給水工事が完了しなければ外構工事に着手できなかった。
【０００６】
この為、建物工事着手から外構工事完了までの全体の工期の短縮化が困難、あるいは、給水工事完了前に外構工事に着手しても建物側給水管の上方の床面の仕上げ工事を行うことができず手待ちが発生する、という問題があった。
【０００７】
なお、特許文献１には、地面に埋め込まれた消火栓や散水栓から応急給水や仮設給水を行う為の簡易給水栓セットに関する技術が開示されている。しかし、この技術は職種の異なる給水工事と外構工事とが絡むことにより発生する上記のような問題を解決しうるものではない。
【発明の開示】
【発明が解決しようとする課題】
【０００８】
本発明は、上記従来技術の課題を解決し、給水工事と外構工事との交錯を可及的に低減することによって工期の短縮化を図り得る仮設給水設備の設置構造及びその設置方法を提供することを目的とするものである。
【課題を解決するための手段】
【０００９】
上記従来技術の課題を解決する為の本発明に係る仮設給水設備の設置構造の第１の構成は、本設位置に埋設された埋め込み式の量水器ボックスと、本設位置に埋設され、前記量水器ボックス内に導入された本管側給水管及び建物側給水管と、前記量水器ボックス内に設置され、前記本管側給水管と前記建物側給水管が接続された仮設接続部材と、前記仮設接続部材の本管側給水管接続部と建物側給水管接続部との中間部から分岐した分岐管接続部に接続された仮設水栓と、からなり、前記本管側給水管接続部と前記建物側給水管接続部は、本設される量水器の２つの給水管接続部と同一の接続形状と同一の離間寸法を有し、前記本管側給水管接続部から供給された水は前記分岐管接続部方向にのみ導かれることを特徴とする。なお、ここで接続とは、直接的につなぎ合わせること以外に、他の部材を介して間接的につなぎ合わせることも含む概念である（以下同様）。
【００１０】
本発明に係る仮設給水設備の設置構造の第２の構成は、前記第１の構成において、前記仮設水栓は、仮設量水器と可撓性を有するフレキシブル管からなる仮設給水管とを介して前記分岐管接続部に接続され、前記仮設水栓と仮設量水器は、前記量水器ボックスの上方に配置され、前記量水器ボックスは、本設蓋が取り外され、前記本設蓋と同一の外形を有し前記仮設給水管取り出しの為の切り欠き部が設けられ、前記仮設量水器、前記仮設給水管及び前記仮設水栓が接続された状態で開閉自在な仮設蓋を備えたことを特徴とする。
【００１１】
本発明に係る仮設給水設備の設置構造の第３の構成は、前記第２の構成において前記仮設蓋の上面は、虎縞状に彩色されたことを特徴とする。
【００１２】
本発明に係る仮設給水設備の設置方法の構成は、量水器及び量水器ボックスが埋設される敷地における仮設給水設備の設置方法であって、本設される量水器の２つの給水管接続部と同一形状かつ同一離間寸法の２つの給水管接続部と前記２つの給水管接続部の中間部から分岐した分岐管接続部とを有するとともに一方の給水管への給水が遮断された仮設接続部材を用いて前記量水器ボックス内で本管側給水管と建物側給水管とを接続し、前記分岐管接続部に仮設給水管を接続して前記量水器ボックスの上方に立ち上げ、前記本管側給水管から仮設給水管方向にのみ給水し得るように前記仮設給水管に仮設水栓を接続したことを特徴とする。
【発明の効果】
【００１３】
本発明に係る仮設給水設備の設置構造の第１の構成及び本発明に係る仮設給水設備の設置方法によれば、本管側給水管と建物側給水管とを量水器ボックス内で仮設接続部材を介して接続し、仮設接続部材に接続した仮設水栓によって工事中に必要な水を供給するように構成したので、両者の位置関係が外構工事等の影響によって狂うことがなく、仮設接続部材及び仮設水栓を取り外した後、給水管及び量水器ボックスの位置を調整することなく量水器を容易に接続することができる。従って、仮設接続部材及び仮設水栓を取り外しや量水器の接続を待たずに給水管や量水器ボックス周囲の外構工事を行うことができ、工期の短縮化や手間、コストの低減をはかることができる。
【００１４】
本発明に係る仮設給水設備の設置構造の第２の構成によれば、仮設接続部材に対し仮設量水器及び仮設水栓を可撓性を有するフレキシブル管からなる仮設給水管を介して接続するとともに、量水器ボックスの上面は切り欠き部を備えた仮設蓋でカバーしたので、仮設接続部材に仮設給水管、仮設量水器及び仮設水栓を接続した後に仮設蓋の切り欠き部の位置に合わせて仮設給水管の位置や形状を調整することで仮設蓋を閉じることができ、更に仮設蓋を閉じた後に仮設量水器及び仮設水栓の位置を作業の邪魔にならない適正な位置に移動しその状態を保持することができる。従って、工事中の作業者の安全性を高めることができ、量水器ボックス内部への土砂やコンクリートの流入を防止することもでき、更には仮設量水器の検針も容易に行うことができる。       
本発明に係る仮設給水設備の設置構造の第３の構成によれば、虎縞状の彩色によって突出した仮設水栓や仮設量水器の存在を作業者に知らしめることができ、作業の安全性を更に高めることができる。
【発明を実施するための最良の形態】
【００１５】
本発明に係る仮設給水設備の設置構造の好ましい実施形態について図を用いて説明する。図１は敷地、前面道路、建物等の配置を示す配置図、図２は量水器まわりの構成を示す図、図３は仮設接続部材の図である。
【００１６】
図１に示すように、戸建住宅である建物Ｂが建築される敷地Ａは前面道路Ｃに面しており、建物Ｂは敷地Ａの奥寄りに配置されている。敷地Ａの前面道路Ｃ寄りの領域は、カーポート及び建物Ｂへのアプローチとして利用される為、外構工事において、土間コンクリートが打設されたのち、タイルやモルタル等によって仕上げが施される。
【００１７】
本実施例における仮設給水設備の設置構造は、図１、図２に示すように、本管側給水管２、量水器ボックス３、仕切弁４、仮設接続部材５、建物側給水管６、ボールバルブ７、仮設給水管８、仮設量水器９、仮設水栓１０で構成されている。本管側給水管２は、前面道路Ｃに埋設された水道本管１から分岐され、建物Ｂ内部及び敷地Ａ内の給水設備へ上水を供給する為に敷地Ａ内に引き込まれている。
【００１８】
量水器ボックス３は、敷地Ａ内の前面道路Ｃの近傍で検針に支障がない本設位置に、その上面のレベルが床仕上げ面に一致するように埋設されている。量水器ボックス３は、略直方体状であり、本来は本体３ａ、本設蓋（不図示）及び底板３ｃからなるものであるが、本設蓋は取り外されており、これに代わって仮設蓋３ｂが取り付けられている。仮設蓋３ｂは、本設蓋と同様に一方の長辺側を軸として回動させて開閉するように構成され、他方の長辺側には後述する仮設給水管８の径に対応した切り欠き部３ｂ１が形成されている、そして、仮設蓋３ｂの上面には虎縞状の彩色が施されている。
【００１９】
量水器ボックス３の短辺側の面には、本管側給水管導入口３ｄおよび建物側給水管導入口３ｅが穿設され、本管側給水管導入口３ｄには本管側給水管２が、建物側給水管導入口３ｅには建物側給水管６が夫々導入されている。そして、本管側給水管２の端部には水道本管１からの給水を制御する仕切弁４が接続され、仕切弁４と建物側給水管６とが仮設接続部材５によって接続されている。仕切弁４は弁の開閉により本管側給水管２から給水を制御するものであり、竣工後も本管側給水管２と量水器との間に介在した状態で使用される。また、建物側給水管６は建物Ｂ方向に向かって延伸され、途中で適宜分岐されて建物Ｂ内外の給水設備に接続されている。
【００２０】
図３に示す仮設接続部材５は、給水管の配管工事と器具付けが完了した後、接続部からの漏水が発生しないかを確認する際に使用する水圧テスト用チーズ（株式会社日邦バルブ社製の「砲金製接続管」等）を転用したものである。仮設接続部材５は、Ｔ字状の継手部材（チーズ）であり、本管側給水管接続部５ａと建物側給水管接続部５ｂとの中間部に、分岐管接続部５ｃを有している。本管側給水管接続部５ａと建物側給水管接続部５ｂは、本設される量水器の両端の給水管接続部（不図示）と同一の形状、同一の離間寸法を有している。従って、仮設接続部材５によって接続された本管側給水管２と建物側給水管６との相対的位置関係は、量水器によって接続された場合と同一の状態に維持される。
【００２１】
仮設接続部材５の建物側給水管接続部５ｂは建物側給水管６に接続されるが、本管側給水管２の方向から給水された場合、建物側給水管６の方向への給水は遮断され、分岐管接続部５ｃ方向にのみ給水されるような内部構成となっている。
【００２２】
分岐管接続部５ｃには、レバーハンドル付のボールバルブ７が接続され、更にボールバルブ７には可撓性を有するフレキシブル管からなる仮設給水管８が接続されている。仮設給水管８は仮設蓋３ｂの切り欠き部３ｂ１から量水器ボックス３の外部に取り出されている。仮設給水管８の中途には仮設量水器９が接続され、末端には仮設水栓１０が接続されている。仮設水栓１０は、所謂埋め込み式散水栓であり、蛇口が水平線に対し略４５度の角度で上向きに屈曲したものである。仮設給水管８は適宜屈曲されて、仮設給水管８、仮設量水器９、仮設水栓１０のすべてが平面的に量水器ボックス３からはみ出すことがないようにコンパクトにまとめられている。なお、ここで仮設量水器９は本設される量水器と同一のものである。仮設量水器とは、仮設専用の量水器という意味ではなく仮設状態の量水器という意味である。
【００２３】
上記のような構成とする場合、仮設接続部材５に仮設給水管８、仮設量水器９及び仮設水栓１０を接続した後に、仮設給水管８の位置や形状を調整して切り欠き部３ｂ１の位置に合わせ、仮設給水管８、仮設量水器９及び仮設水栓１０と干渉することがないように仮設蓋３ｂを閉じ、仮設給水管８、仮設量水器９及び仮設水栓１０の位置を上記のように設定することができる。
【００２４】
上記構成の仮設給水設備は、建物Ｂの建築工事及び外構工事の期間中使用される。そして、竣工間近に仮設接続部材５、ボールバルブ７、仮設給水管８、仮設量水器９、仮設水栓１０、仮設蓋３ｂが取り外され、これらに代わって量水器と本設蓋が取り付けられて竣工を迎える。
【００２５】
本管側給水管接続部５ａと建物側給水管接続部５ｂは、本設される量水器の２つの給水管接続部と同一の形状、同一の離間寸法を有する仮設接続部材５によって接続された状態で本設位置に埋設されており、相対的な位置関係が変わることはないので、量水器を本設する際に本管側給水管２および建物側給水管６の位置を再調整する必要がない。従って、給水工事の完了（量水器の接続）を待たずに本管側給水管２、建物側給水管６及び量水器ボックス３の周囲の外構工事を完成させることができる。
【００２６】
また、量水器ボックス３には工事中も仮設蓋３ｂが装着されているので、作業者が誤って足を量水器ボックス３の内部に踏み入れて怪我をする虞がなく、作業中に量水器ボックス３内部に土砂等が流れ込むことを防止することもでき、更に、仮設蓋３ｂには虎縞状の彩色が施されているので、仮設給水管８、仮設量水器９、仮設水栓１０が突出していることを作業者に認識させることができ安全性を増すことができる。
【００２７】
また、仮設給水管８、仮設量水器９、仮設水栓１０のすべてが平面視量水器ボックス３の領域内にまとまっているので、量水器ボックス３周囲の外構工事を行う際も位置の変更や一時的な撤去等をする必要がなく、効率よく工事を進めることができる。また、仮設量水器９は仮設蓋３ｂの上方に露出した状態で配置されており、検針員が検針の都度仮設給水管８を伸縮するなどして仮設蓋３ｂを開閉する必要がない。
【産業上の利用可能性】
【００２８】
本発明は、戸建住宅に限らず、上水道が供給され量水器ボックス内に量水器が収容され、量水器ボックス周囲を舗装等によって仕上げる建物全般に適用することができる。
【図面の簡単な説明】
【００２９】
【図１】敷地、前面道路、建物等の配置を示す配置図である。
【図２】量水器まわりの構成を示す図である。
【図３】仮設接続部材の図である。
【符号の説明】
【００３０】
Ａ…敷地
Ｂ…建物
Ｃ…前面道路
１…水道本管
２…本管側給水管
３…量水器ボックス
３ａ…本体
３ｂ…仮設蓋
３ｂ１…切り欠き部
３ｃ…底板
３ｄ…本管側給水管導入口
３ｅ…建物側給水管導入口
４…仕切弁
５…仮設接続部材
５ａ…本管側給水管接続部
５ｂ…建物側給水管接続部
５ｃ…仮設給水管接続部
６…建物側給水管
７…ボールバルブ
８…仮設給水管
９…仮設量水器
10…仮設水栓
【図１】
0005074254.tif 000002
【図３】
0005074254.tif 000003
【図２】
0005074254.tif 000004